(57)【特許請求の範囲】
【請求項１】
医療用部材を収納搬出する供給ステーションと、前記供給ステーションから前記医療用部材を各手術室へ自動搬送する第１の搬送システムと、前記各手術室において使用された前記医療用部材を回収する手段と、前記第１の搬送システムとは異なる経路に設けられた使用済み医療用部材を搬送する第２の搬送システムと、前記第２の搬送システムにより搬送されてきた前記使用済み医療用部材を洗浄後組立てる作業領域と、前記組立てられた医療用部材を滅菌する滅菌装置と、上記滅菌された医療用部材を前記供給ステーションに搬入する自動搬入手段とを備えた医療用部材リサイクルシステムにおいて、前記第１の搬送システムは、手術室へと伸びる廊下の天井部に固定されたフードと、前記フードの内部に設けられたコンベアと、前記廊下内の空気を前記フード内に取り込む空気導入手段と、前記フード内に導入された空気を清浄化して、前記廊下内に排出する空気の清浄化手段とを備えていることを特徴とする医療用部材リサイクルシステム。
【請求項２】
前記第１の搬送システムは、医療用部材を水平方向に移送する第１の水平方向搬送手段と、前記第１の水平方向搬送手段により供給された医療用部材を上下方向に移送し手術室群が設けられた階に供給するリフトと、前記リフトにより供給された前記医療用部材を水平方向に移送して所定の各手術室に供給する第２の水平方向搬送手段と、前記第２の水平方向搬送手段により供給された前記医療用部材を前記各手術室内に設けられた任意の棚に自動収納する手術室内収納手段とを備えたことを特徴とする請求項１に記載の医療用部材リサイクルシステム。
【請求項３】
前記手術室内収容手段は、前記手術室内に上下方向に複数の棚が設けられた収納部と、前記第２の水平方向搬送手段から前記医療用部材を前記収納部へ取り込む取り込み手段と、前記取り込まれた医療用部材を前記収納部の複数の棚の内の任意の１の棚へ出し入れする移載手段と、前記収納部の各棚に収納されている前記医療用部材を前記手術室側に取出す取出し手段とを備えたことを特徴とする請求項２に記載の医療用部材リサイクルシステム。
【請求項４】
前記リフトは、昇降籠上部に昇降籠内の空気を清浄化する空気の清浄化手段を備えていることを特徴とする請求項３に記載の医療用部材リサイクルシステム。
【請求項５】
前記空気の清浄化手段がＨＥＰＡフィルターユニットを備えていることを特徴とする請求項１又は請求項４に記載の医療用部材リサイクルシステム。
【発明の詳細な説明】
【０００１】
【発明の属する技術分野】
本発明は、医療施設における医療用部材リサイクルシステムに関する。
【０００２】
【従来の技術】
手術用器材の在庫管理は、一般に手術室フロアとは別のフロアに設けられている中央材料部門において行われている。手術部門から手術予定の連絡を受けた中央材料部門は、その手術の内容によって必要となる器材、材料などを取り揃えて専用コンテナなどに収納の上、ワゴンなどを利用して各手術室まで届けている。
【０００３】
ところで、昨今の医療技術の高度化、多様化に伴い、手術用器材の種類はますます増加し、その管理は複雑化している。このため一部の医療機関では、手術の内容に応じて予め必要な器材等のセットを専用のコンテナに収納して在庫しておいたり、中央材料部門から手術室への搬送を自動化したりする対策がとられている。また、滅菌容器、医療器材類保管施設、汚染廃棄物の回収施設、無人搬送車、既滅菌室等からなる医療器材類の供給回収システムに関する提案も開示されている。（特開平１１−２９２２７８の公報参照）
【０００４】
【発明が解決しようとする課題】
しかし、上記のように対策を取った場合であっても、例えば事前に器材をセットして在庫する場合、その滅菌状態を保証する有効期限や、在庫情報の管理は容易ではない。また、自動搬送装置を導入した場合であっても搬送装置への搬入は人手に頼らざるを得ない場合が多い。さらに自動搬送ラインにおいては使用前の前記器材等への汚染が発生する可能性もある。また全ての搬送を無人搬送車に頼ったシステムは、搬送路の確保等既存設備に導入するのがスペースの上で困難な場合がある。
【０００５】
そこで、本発明は、医療用部材の在庫管理および手術室への搬送を自動化し、更にその搬送ラインにおける前記医療用部材の汚染のリスクを低下させ、既存の施設に導入しやすいリサイクルシステムを提供することを目的とする。
【０００６】
【課題を解決するための手段】
以下、本発明について説明する。なお、本発明の理解を容易にするために添付図面の参照符号を括弧書きにて付記するが、それにより本発明が図示の形態に限定されるものではない。
【０００７】
この発明は、清浄度の高い状態で医療用部材を収納搬出する供給ステーションと、供給ステーションから医療用部材を各手術室へ自動搬送し空気の清浄化手段が設けられた搬送システムとを備える。ここに「医療用部材」とは、メスや医療ハサミなどの医療用器材、ガーゼや包帯等の医療用材料および術衣などのランドリー類をいう。
【０００８】
予め供給ステーションに必要な医療用部材を在庫しておくので、計画的な供給作業を実施できる。また、前記供給ステーションから手術室までの搬送は自動化されているので、省力化に資することができる。更に搬送手段には空気の清浄化手段が備えられているので、医療用部材が搬送中に、汚染されることが防止される。
【０００９】
この発明は、請求項１に記載の医療用部材リサイクルシステムにおいて、供給ステーションは、所定種類の医療用部材を滅菌状態で収納したコンテナ（１１６）群を収容し必要に応じて搬出する自動倉庫（１１０）を備えており、搬送システムは自動倉庫から搬出された各コンテナを水平方向に移送する第１の水平方向搬送手段（１２０）と、前記第１の水平方向搬送手段により供給された各コンテナを上下方向に移送し手術室（２１０）群が設けられた階に供給するリフト（３００）と、リフトにより供給された各コンテナを水平方向に移送して所定の各手術室に供給する第２の水平方向搬送手段（２２０）と、第２の水平方向搬送手段により供給された各コンテナを各手術室内に設けられた任意の棚に自動収納する手術室内収納手段（５００）とを備える。
【００１０】
この発明によれば、事前に手術の種類毎に必要となる医療用器材が滅菌状態でコンテナにセットされる（以下において、このようにセットされたコンテナを「滅菌コンテナ」という。）ので、専門知識の共有化とセッティング作業の簡素化を実現することができる。また上記滅菌コンテナは自動倉庫に収納されているので、自動倉庫を制御するコンピュータ（６１０）を介して正確な在庫および有効期限管理を行うことができる。更に自動倉庫、第１の水平方向搬送手段、リフト、第２の水平方向搬送手段および手術室内収納手段は全て、制御用コンピュータ（６１０、６２０）により制御可能であるので、人手による作業過誤の排除、省力化をはかることができる。
【００１１】
この発明は、自動倉庫およびリフトは内部に流通する空気の清浄化手段を備えており、第１の水平方向搬送手段および第２の水平方向搬送手段はクリーン領域に設けられておりかつ内部の空気を清浄化して外部へ排出する清浄化手段を備える。ここに「クリーン領域」とは、米国連邦規格２０９における空気清浄度がクリーンルームクラス１０，０００以下に管理されている領域をいう。本規格の空気清浄度クラスは、空気容量１立方フィートあたりの粒径０．５ミクロンメートル以上および５．０ミクロンメートル以上の最大許容粒子数をインデックスとして定めており、クラスの名称は粒径０．５ミクロンメートル以上の粒子数をもって表している。
【００１２】
この発明によれば、自動倉庫、第１の水平方向搬送手段および第２の水平方向搬送手段はクリーン領域に設けられており、またリフト、第１の水平方向搬送手段および第２の水平方向搬送手段には空気の清浄化手段が設けられているので、滅菌コンテナは清浄な環境の下に搬送されることができる。
【００１３】
この発明では、第１の水平方向搬送手段および第２の水平方向搬送手段は、クリーン領域の廊下天井部（２２２）に固定されたフード（２２１）と、フードの内部に設けられたコンベア（２５０）と、廊下内の空気を前記フード内に取り込む空気導入手段と、フード内に導入された空気を清浄化してクリーン領域廊下内に排出する空気の清浄化手段とを備える。
【００１４】
この発明によれば、第１の水平方向搬送手段および第２の水平方向搬送手段は、自ら発生する汚染粒子を自らの空気の清浄化手段で清浄化するので、クリーン領域である手術室群等が設けられた階の廊下を清浄に保つことができる。また、フード内には常にクリーン領域である廊下からの空気が取り込まれるので、フード内において搬送される滅菌コンテナを清浄な状態に保つことができる。また、第１の水平方向搬送手段および第２の水平方向搬送手段は、廊下天井部に設置できるので、既存の施設に大掛かりな工事を必要とせずに設置することができる。
【００１５】
この発明では、手術室内収容手段（５００）は、手術室内に上下方向に複数の棚（５２０）が設けられた収納部（５４０）と、第２の水平方向搬送手段からコンテナを収納部へ取り込む取り込み手段（５１０）と、取り込まれたコンテナを収納部の複数の棚の内の任意の棚へ出し入れする移載手段（５５０）と、収納部の各棚に収納されているコンテナを前記手術室側に取出す取出し手段（５３０）とを備える。
【００１６】
この発明によれば、各棚は相互に独立して取り扱われており、要求に応じて任意の棚から必要な滅菌コンテナを取出すことができるので、たとえ手術の計画が変更されたような場合でもさしたる混乱を生じることなく対応が可能である。
【００１７】
この発明では、リフトは、昇降籠（３５０）上部に昇降籠内の空気を清浄化する空気の清浄化手段が設けられていることを特徴とする。
【００１８】
この発明によれば、昇降籠内において搬送されている滅菌コンテナの汚染を防止して、清浄な状態で搬送することができる。
【００１９】
【００２０】
この発明によれば、ＨＥＰＡフィルターユニットを採用することにより、微細な粒子を確実に捕捉することができるので、クリーン領域を清浄に保つことができ、かつ滅菌コンテナの汚染を防止することができる。
【００２１】
この発明は、クリーン領域と、非クリーン領域とが隔離されているフロアにおいて、クリーン領域の廊下天井部に設けられる水平方向搬送手段であって、廊下天井部に固定されたフードと、フードの内部に設けられたコンベアと、廊下の空気をフード内に取り込む空気導入手段と、フード内に導入された空気を清浄化して廊下内に排出する空気の清浄化手段とを備えている。
【００２２】
この発明によれば、クリーン領域内に設けられた搬送手段は自ら発生する汚染物質を含む空気を、空気清浄化手段によって清浄化して再びクリーン領域内に排出するので、クリーン領域である手術室廊下等は常に清浄な状態に保たれることができる。また、水平方向搬送手段は、廊下天井部に設置できるので、既存の施設に大掛かりな工事を必要とせずに設置することができ、新たなスペースを要しない。
【００２３】
この発明では、空気の清浄化手段が、ＨＥＰＡフィルターユニット（７００）を備える。
【００２４】
この発明によれば、ＨＥＰＡフィルターユニットを採用することにより、微細な粒子を確実に捕捉することができるので、クリーン領域である手術室廊下等を清浄に保つことができ、かつ滅菌コンテナの汚染を防止することができる。
【００２５】
この発明は、清浄度の高い状態で医療用部材を収納搬出する供給ステーションと、供給ステーションから医療用部材を各手術室へ自動搬送し空気の清浄化手段が設けられた第１の搬送システムと、各手術室において使用された医療用部材を回収する手段と、第１の搬送システムとは異なる経路に設けられ回収された使用済み医療用部材を搬送する第２の搬送システムと、第２の搬送システムにより搬送されてきた使用済み医療用部材を開封、洗浄、組立てする作業領域と、開封、洗浄、組立てされた医療用部材を滅菌する滅菌装置（８００）と、上記滅菌された医療用部材を供給ステーションに搬入する自動搬入手段とを備える。
【００２６】
この発明によれば、使用前の医療用部材供給経路とは異なる回収経路が設けられているので、両者が混在して、汚染が発生する恐れを排除することができる。また、供給、回収経路の大半は、自動化されているので、省力化に資することができる。
【００２７】
この発明は、供給ステーションは所定種類の医療用部材を滅菌状態で収納したコンテナ群を収容し必要に応じて搬出する自動倉庫を備えており、第１の搬送システムは自動倉庫から搬出された各コンテナを水平方向に移送する第１の水平方向搬送手段と、前記第１の水平方向搬送手段により供給された前記各コンテナを上下方向に移送し手術室群が設けられた階に供給する第１リフト（３００）と、第１リフトにより供給された各コンテナを水平方向に移送して所定の各手術室に供給する第２の水平方向搬送手段と、第２の水平方向搬送手段により供給された各コンテナを各手術室内に設けられた任意の棚に自動収納する手術室内収納手段とを備えており、回収する手段は第２の水平方向搬送手段とは手術室をはさんで反対側の室外に設けられ各手術室において使用された使用済み医療用部材を回収する搬送ラック（２１４）を備えており、第２の搬送システムは搬送ラックに回収された使用済み医療用部材を積み換える自動移載手段と、前記自動移載手段から積み換えられた前記搬送ラックを搬送する無人搬送車（２４０）と、無人搬送車により横持ちされた搬送ラックを上下方向に移送する第２リフト（４００）とを備える。
【００２８】
この発明によれば、事前に手術の種類毎に必要となる医療用器材が滅菌コンテナにセットされているので、専門知識の共有化とセッティング作業の簡素化を実現することができる。また上記滅菌コンテナは自動倉庫に収納されているので、自動倉庫制御用コンピュータを介して正確な有効期限管理を行うことができる。更に自動倉庫、自動搬送システムおよび手術室内収納手段は全て無人で、コンピュータにより制御されており、その後の回収経路の多くは自動化されているので、人手による作業過誤の排除、省力化が可能となる。また、使用前の医療用部材供給経路とは異なる使用後の医療用部材回収経路が設けられているので、両者が混在して、汚染が発生する恐れを排除することができる。
【００２９】
この発明は、自動倉庫および第１リフトは内部に流通する空気の清浄化手段を備えており、第１の水平方向搬送手段および第２の水平方向搬送手段はクリーン領域に設けられておりかつ内部の空気を清浄化して外部へ排出する空気の清浄化手段を備えている。
【００３０】
この発明によれば、自動倉庫、第１の水平方向搬送手段および第２の水平方向搬送手段はクリーン領域に設けられており、またリフト、第１の水平方向搬送手段および第２の水平方向搬送手段には空気の清浄化手段が設けられており、かつ使用前の医療用部材を搬送する経路は使用後の医療用部材を搬送する経路とは完全に隔離されているので、滅菌コンテナは清浄な環境の下に搬送されることができる。
【００３１】
【００３２】
この発明によれば、ＨＥＰＡフィルターユニットを採用することにより、微細な粒子を確実に捕捉することができるので、使用前の医療用部材供給経路におけるクリーン領域を清浄に保つことができ、かつ滅菌コンテナの汚染を防止することができる。
【００３３】
【発明の実施の形態】
以下本発明を図面に示す実施形態に基づき説明する。はじめに、図１および２を用いて本発明の全体の構成を示し、その後図３により本発明のシステム概要を、図４以下により各構成部分の詳細を説明する。
【００３４】
図１は、本発明の医療用部材自動供給およびリサイクルシステムにおける医療用部材の移動の概要を、図２は前記システムのフローとそれに対応する医療用部材の動きを示している。また、図２において人が描かれている部分は人手により作業が行われていることを示し、それ以外の部分は全て、機械またはコンピュータにより制御された機械により、無人で作業が行われていることを示す。
【００３５】
図１および図２において、中央材料部門１００のフロアであって空気清浄化手段が設けられている自動倉庫１１０内には、多数の滅菌コンテナ１１６が収容されている（図４参照）。
【００３６】
手術部門２００からの出庫要請があると、滅菌コンテナ１１６は自動倉庫１１０から出庫され、第１リフト３００まで第１の水平方向搬送手段１２０により横持ちされる。ここに、第１の水平方向搬送手段１２０は中央材料部門１００の廊下天井部に設けられており、当該廊下はクリーン領域となるように設備され、維持管理が行われている。横持ちされた滅菌コンテナ１１６は、第１リフト３００により中央材料部門１００（一般に下層階のフロアに設けられている。）から手術部門２００（一般に上層階のフロアに設けられている。）に垂直搬送される。なお、自動倉庫１１０には通常在庫されていないような特殊な医療用部材の要請があった場合には、第１リフト３００に隣接して設けられたマニュアル供給ステーション１３０から第１リフト３００を通じて、これらの医療用部材が手術部門２００のあるフロアへと供給される。
【００３７】
手術部門２００のある上層階フロアへ垂直搬送された滅菌コンテナ１１６は、手術室入り側廊下２１２の天井部２２２（図５参照）に設けられた第２の水平方向搬送手段２２０により各手術室２１０の側部まで搬送される。ここに手術室入り側廊下２１２もクリーン領域となるように設備され、維持管理が行われている。
【００３８】
各手術室２１０には複数の棚が備えられた手術室内収納手段５００が設けられており、各滅菌コンテナ１１６は、当日の手術の予定により定められた所定の手術室の所定の棚に自動収納される。
【００３９】
手術室２１０において使用された各医療用部材は再び元のコンテナ内に収められて、人手により搬送ラック２１４に収容される。この搬送ラック２１４は、手術室回収廊下２１１に置かれた回収台２１３上に載置されている。手術室回収廊下２１１は手術室入り側廊下２１２とは手術室２１０をはさんで反対側に設けられている。また手術室２１０は手術室回収廊下２１１および手術室入り側廊下２１２に対して常に陽圧となるように設けられており、非クリーン領域である手術室回収廊下２１１の空気が手術室２１０内に逆流する事がない様に管理されている。
【００４０】
使用済みの医療用部材が入ったコンテナを収容した搬送ラック２１４は、計画的に巡回している無人搬送車２４０に自動移載される。搬送ラック２１４の無人搬送車２４０への移載は完全な自動作業であり、搬送ラック２１４への使用済みコンテナの収容は、医師、看護婦など手術室スタッフの都合の良いタイミングで行うことができるので、これら手術室スタッフの仕事の自由度が増し、患者に接する時間を多くとることが可能となる。
【００４１】
無人搬送車２４０に積載された搬送ラック２１４は手術室回収廊下２１１を経て第２リフト４００まで自動搬送される。
【００４２】
搬送ラック２１４は、第２リフト４００により手術部門２００のあるフロアから中央材料部門１００のあるフロアに垂直搬送される。中央材料部門１００においては搬送ラック２１４に収容されているコンテナが回収され、搬送ラック２１４は、再び第２リフト４００により手術部門２００へと返却される。
【００４３】
回収されたコンテナは、開封され、各器材が取出される。各器材はコンテナとともに洗浄消毒され、再び手術の内容により定められたセットに組立てられてコンテナに収容される。各器材が収容されたコンテナは更に滅菌装置８００により滅菌処理をなされた後、再び自動倉庫１１０に収容される。
【００４４】
以上説明したように、滅菌コンテナ１１６には、手術の内容に従って予めどのような器材をセットすべきかが定められており、一定種類の医療用部材が滅菌の上梱包されている。このような滅菌コンテナの例として、アリージェンス社（米国）のジェネシス滅菌コンテナ（登録商標）が実用化されている。この滅菌コンテナを使用することにより、専門知識の共有化とセッティング作業の簡素化を実現することができる。
【００４５】
また、使用前の医療用部材の供給経路は、使用後の医療用部材の回収経路とは完全に分離されているので、使用済み医療用部材による汚染を完全に防止することができる。さらに医療用部材供給経路は完全に自動化されており、回収経路の大半も自動化されているので、人為ミスを原因とする作業過誤を排除することができ、省力化にも資することができる。
【００４６】
図３は、本発明の医療用部材自動供給およびリサイクルシステムのシステム概念図を示している。図２においても示したように、手術後の使用済み器材回収、中央材料部門１００における開封および組立ての３個所を除き、本システムは全てコンピュータによる自動化が可能である。
【００４７】
翌日の手術計画が確定すると、その手術内容に応じて必要とされる器材がセットされたコンテナの情報が、ナースステーション等に設けられているオーダー用コンピュータ６４０を通じホストコンピュータ６００に伝えられる。ホストコンピュータ６００はこの情報に基づき原則として翌日の手術開始までに（通常は夜間に）、各手術室２１０内に設けられている手術室内収容手段５００の指定の棚に上記の滅菌コンテナ１１６が収納されるように自動倉庫制御用コンピュータ６１０および第１の搬送システム制御用コンピュータ６２０に指示を発する。指示を受けた自動倉庫制御用コンピュータ６１０および第１の搬送システム制御用コンピュータ６２０は、自動倉庫１１０、第１の水平方向搬送手段１２０、第１リフタ３００、第２の水平方向搬送手段２２０および手術室内収納手段５００の各構成部分がうまく協働する様に制御、監視等を行いつつ、これらに出庫、搬送、収容などの指示を行う。
【００４８】
一方、回収台２１３上に載置されている搬送ラック２１４中の使用済みの医療用部材およびコンテナの収容量が一定量以上になると、センサー（図示せず。）がそれを感知して、最終的に中央材料部門１００に届けられるまで、無人搬送車２４０および第２リフト４００による搬送が行われ、それが繰り返されている。これら回収側の搬送の制御をつかさどる第２の搬送システム制御用コンピュータ６３０は、前記ホストコンピュータ６００とは独立して設けられても良い。
【００４９】
中央材料部門１００において、開封、洗浄、消毒、組立て、滅菌の各工程を経たコンテナは、梱包された医療用部材の内容、有効期限等のデータと関連付けられた上、再び自動倉庫１１０に保管される。この際の自動倉庫１１０への入庫および上記データの蓄積は自動倉庫制御用コンピュータ６１０により行われる。このため各コンテナの使用有効期限の管理が自動化でき、人為ミス発生の可能性を低下することができ、同時に省力化も可能である。
【００５０】
図４は本発明の医療用部材自動供給およびリサイクルシステムを構成する自動倉庫１１０を俯瞰する図である。この自動倉庫１１０には、上下左右方向に複数の棚１１５が設けられた前後２列の収納ラック１１７ａ，１１７ｂと、これら２列の収納ラックの間の床に設けられた左右方向の横スライダ１１３と、横スライダ１１３上を左右にスライドするリフタ１１２と、リフタ１１２に取り付けられてリフタ１１２に沿って上下に移動する昇降アーム１１１と、横スライダ１１３とは直角水平に設けられ上面にコンベア１１８を有する取出しスライダ１１４と、自動倉庫制御用コンピュータ６１０が設けられている。各棚１１５には、各種手術の内容に応じた医療用部材を収納した滅菌コンテナ１１６が収納されておりそれぞれの棚に収納されている滅菌コンテナ１１６の内容に関する情報が、自動倉庫制御用コンピュータ６１０に記憶されている。ホストコンピュータ６００から所定の内容の滅菌コンテナ１１６を出庫すべき指示を自動倉庫制御用コンピュータ６１０が受け取ると、自動倉庫制御用コンピュータ６１０は、記憶されている情報に基づき所定のコンテナが収容されている棚１１５を特定して、横スライダ１１３およびリフタ１１２を動作させ、昇降アーム１１１が所定の棚１１５の滅菌コンテナ１１６を取出せる位置に配置される様制御する。滅菌コンテナ１１６は昇降アーム１１１から伸張する取出し爪上に取出され、取り出し爪が収縮することで昇降アーム１１１上に載置される。その後リフタ１１２が横スライダ１１３上を近傍の取出しスライダ１１４の位置までスライドし、昇降アーム１１１が取出しスライダ１１４上面のコンベア１１８と同一高さまで移動される。昇降アーム１１１上の滅菌コンテナ１１６は取出し爪の伸縮によりコンベア１１８に載置され、コンベア１１８により取出し位置まで移送される。なお、本自動倉庫１１０には空気の清浄化手段（図示せず。）が備えられており、収容されている滅菌コンテナ１１６の清浄度が保たれている。このような空気の清浄化手段を備えた自動倉庫の一例が特開平７−４１１０８の公報に開示されている。ここでは倉庫内に清浄な空気を供給する手段と、天井部と各棚には殺菌装置を設ける旨提案されている。本発明においてはこのような自動倉庫が好適に用いられる。
【００５１】
次に、図５および図６を用いて第１および第２の水平方向搬送手段１２０、２２０について説明する。これらの搬送手段はクリーン領域に設けられ、構造も同一であるので、ここでは手術部門２００の手術室入り側廊下２１２に設けられた第２の水平方向搬送手段２２０について両者を代表させて説明する。図５は、手術部門２００のフロアの第１リフト３００出口から、各手術室２１０の手術室内収容手段５００まで滅菌コンテナ１１６を搬送する第２の水平方向搬送手段２２０が手術室入り側廊下２１１天井部２２２に設けられている状態を示している。また、図６（ａ）、（ｂ）、（ｃ）は図５におけるＡ‐Ａ線断面図、Ｂ−Ｂ線断面図およびＣ−Ｃ線断面図をそれぞれ示している。
【００５２】
図６（ａ）において、手術室２１０とは壁５０５で隔てられた手術室入り側廊下２１２の手術室寄りの天井部２２２をくりぬいて、下部開口が天井部２２２と同じ高さとなるようにフード２２１が設けられている。フード２２１は手術室２１０との間の壁５０５に補助金具２２４とアンカーボルト２２３を用いて取り付けられている（図６（ｃ）参照）。フード２２１の内部には防振ゴム２２５を介して帯電防止アクリルカバー２２６が吊り下げ固定されている。また、帯電防止アクリルカバー２２６上部とフード２２１との間には隙間２２７が設けられている。また、フード２２１内の帯電防止アクリルカバー２２６の側方には十分な広さのメンテナンススペース２２８が設けられている。帯電防止アクリルカバー２２６内には、コンベアフレーム２２９がコンベア吊ブラケット２３０（図５参照）を介して、フード２２１から吊り下げられている。コンベアフレーム２２９上にはコンベア２５０が載置固定されている。コンベア２５０は前述したように、第１の搬送システム制御用コンピュータ６２０によりその動きを制御されている。コンベア２５０の下方はコンベア底カバー２３１により、フード２２１および帯電防止アクリルカバー２２６の下部は、メンテナンスカバー２３２によりそれぞれ閉鎖されている。
【００５３】
メンテナンススペース２２８には、コンベア２５０の搬送方向に沿って所定の間隔で、ファン（図示せず。）が取り付けられており、手術室入り側廊下２１２内の空気を常時フード２２１内に取り込んでいる。一方、図６（ｂ）において、コンベア２５０の下方には、コンベア２５０の搬送方向に沿って所定の間隔でＨＥＰＡフィルターユニット７００がコンベア底カバー２３１に固定して設けられている。また、コンベア底カバー２３１のＨＥＰＡフィルターユニット７００が設けられた部分には、開口２３３が設けられている。
【００５４】
前記ファンによりメンテナンススペース２２８に取り込まれた手術室入り側廊下２１２内の空気は、帯電防止アクリルカバー２２６上部の隙間２２７を介してコンベア２５０部分を下方に流通し、ＨＥＰＡフィルターユニット７００に取り込まれて浄化され、コンベア底カバー２３１の開口２３３より再び手術室入り側廊下２１２内に放出される。従って、第２の水平方向搬送手段２２０の駆動によって必然的に発生する磨耗粉、潤滑剤等の微粒子は大半がＨＥＰＡフィルターユニット７００に捕集されるので、これらのコンタミナントによる手術室入り側廊下２１２の汚染を未然に防止することができる。またコンベア２５０部分の空気は常に下方へ流通しているので、コンベア２５０上の滅菌コンテナ１１６が上記コンタミナントにより汚染を受けることもない。
【００５５】
さらに、必要に応じて、コンベア底カバー２３１部に適宜蛍光灯２３４を設けて（図５および図６（ｃ）参照）、手術室入り側廊下２１２の環境改善や、第２の水平方向搬送手段２２０およびその周辺のメンテナンス性の改善を図ることができる。またコンベア２５０は帯電防止アクリルカバー２２６に蓋われているので、常にメンテナンススペース２２８から内部を目視可能でありメンテナンス性の向上がはかられている。また、第１の水平方向搬送手段１２０および第２の水平方向搬送手段２２０は、廊下天井部２２２に設置できるので、既存の施設に大掛かりな工事を必要とせずに設置することができる。さらに、既存のスペースをそのまま有効に継続使用可能である。
【００５６】
続いて図７および図８により手術室内収容手段５００について説明する。図７（ａ）は手術室内収容手段５００の側面側から見た内部を、（ｂ）は手術室側から見た内部を示している。また図８は手術室内収容手段５００の水平方向断面図であって、（ａ）は第２の水平方向搬送手段２２０から滅菌コンテナ１１６を取り込む取り込み手段５１０を、（ｂ）は収納部５４０における各棚５２０を、（ｃ）は前記収納部５４０の各棚５２０に収納されている前記滅菌コンテナ１１６を前記手術室２１０側に取出す取出し手段５３０を示している。
【００５７】
図７（ａ）において、手術室内収容手段５００は、手術室２１０内の手術室入り側廊下２１２側壁５０５に固定して設けられている。手術室入り側廊下２１２側壁５０５には、第２の水平方向搬送手段２２０の搬送ラインにあわせて開口５１１が設けられている。さらに手術室内収容手段５００側にも上記搬送ラインと同じ高さに搬入用コンベア５４５（図８（ａ）参照）を備えた取り込み手段５１０が設けられていて、第２の水平方向搬送手段２２０から滅菌コンテナ１１６を手術室内収容手段５００側に取り込むことができるようになっている。
【００５８】
図７（ｂ）において、手術室内収容手段５００には、上下方向に複数の棚を備えた収納部５４０と、昇降アーム５４１およびスライド式移載装置５４２を備えた移載手段５５０とが設けられている。収納部５４０の一つの棚は取り込み手段５１０と同一高さに設けられ、取り込み手段５１０の一部をなしている（図８（ａ）参照）。一方収納部５４０下部の別の一つの棚に対応する高さには、手術室側に取出し口５４３および搬出用コンベア５４４が設けられ、取出し手段５３０を構成している。
【００５９】
滅菌コンテナ１１６が所定の手術室入り側廊下２１２に到着した旨の情報を得た第１の搬送システム制御用コンピュータ６２０は、続いて手術室内収容手段５００に、滅菌コンテナ１１６を手術室２１０側に取り込んで収納部５４０の所定の棚５２０に収納するよう命令を発する。手術室内収容手段５００はこれに従って滅菌コンテナ１１６を指定の棚５２０に収納する。手術室２１０内のスタッフは、手術室２１０側の操作ボタンで移載手段５５０を操作して希望する滅菌コンテナ１１６を取出し手段５３０に設けられた棚に移載させ、手術室２１０側に取出すことができる。従って、手術の予定が変更されたような場合であっても、不要となった滅菌コンテナ１１６のみを取出すことができ、積み替え等の煩雑な作業を必要としない。よって手術室スタッフに時間的な自由度が増し、患者に対しより適切な医療サービスを提供することができる。
【００６０】
次に図９および図１０を用いて第１リフト３００に設けられた空気の清浄化手段について説明する。図９は第１リフト３００の全体図を、図１０は前記リフト昇降籠部分の拡大図を示している。
【００６１】
本実施の形態においては、中央材料部門１００は地下１階フロアに、手術部門２００は３階フロアに設けられている。病棟建屋内の一角に設けられているリフトスペース３１０は、建屋を上下方向に貫いて設けられている。リフトスペース３１０の上部には、モーター３２０と減速機３３０が備えられた巻上げ機構が取り付けられており、巻上げ機構からはカウンターバランス３４０と昇降籠３５０が振り分けられるようにして吊り下げられている。リフトスペース３１０の３階および地下１階には、昇降籠３５０へ滅菌コンテナ１１６を積降しするために側部に開口３６０、３７０が設けられている。いずれのフロアにおいても滅菌コンテナ１１６を搬送する第１および第２の水平方向搬送手段１２０、２２０が天井部に設けられているため、上記２つの開口３６０、３７０はそれぞれのフロアの天井の高さに設けられている。昇降籠３５０の上部にはファン付きのＨＥＰＡフィルターユニット７００が取り付けられており（図１０参照）、常時昇降籠３５０内に清浄な空気が流通するようにはかられている。従って第１リフト３００により垂直方向に搬送される滅菌コンテナ１１６が搬送中にリフト可動部分等から発生する汚染物質等により汚染されることが防止される。
【００６２】
なお、以上に説明したＨＥＰＡフィルターユニット７００は、通常半導体製造工場等で使用されているものと同等のものである。その性能としては、風量毎分１．０立方メートルの条件の下、０．３ミクロンメーターの粒子を９９．９５％以上捕集するものであることが望ましい。
【００６３】
また上記の実施の形態では、中央材料部門１００は手術部門２００の下層階に設けられている例を示したが、本発明はこれに限定されるものではなく、中央材料部門１００が手術部門２００の上層階に設けられていても良い。また、両者は同一のフロアに設けられていても良く、この場合には第１リフト３００および第２リフト４００の設置は不要であり、水平方向搬送手段は一つで足りる。ただし、使用前の医療用部材と使用後の医療用部材の搬送経路が重ならないようにする等、レイアウト上の配慮が必要である。
【００６４】
更に、手術室内収容手段５００は手術室２１０内に設けられている例を示したが、本発明はこれに限定されるものではなく、例えば手術室入り側廊下２１２側に設けることも可能である。
【００６５】
また、上記実施の形態においては、再使用可能な医療用部材の回収経路について述べているが、医療廃棄物についても回収経路と平行する経路を設けて自動回収することが２次感染防止の観点からも望ましい。
【００６６】
【発明の効果】
以上に説明したように、供給ステーションとして自動倉庫を設けることにより、滅菌コンテナの有効期限管理が容易となる。また搬送ラインを自動化することにより省力化に資することができる。また搬送ラインに空気清浄手段を設けることにより、クリーン領域の清浄度を保持することができ、同時に搬送中の滅菌コンテナの汚染を防止することができる。さらに、供給ラインと回収ラインとを完全に隔離して設けることにより、使用済み器材からの汚染を防止することができる。また搬送ラインの一部を天井部を走行するコンベアとすることにより、大掛かりな工事を必要とせずに既存の施設に容易に導入でき、院内のスペースを有効に利用することができる。
【図面の簡単な説明】
【図１】システム全体図
【図２】システムフローと作業関係図
【図３】システム概念図
【図４】自動倉庫の斜視図
【図５】第２の水平方向搬送手段の概略図
【図６】（ａ）、（ｂ）、（ｃ）は図５のＡ‐Ａ線、Ｂ‐Ｂ線、Ｃ‐Ｃ線に沿うそれぞれの断面図
【図７】手術室内収納手段の構成図であって、（ａ）は側面から見た内部の図、（ｂ）は正面から見た内部の図
【図８】手術室内収納手段の水平方向断面図であって、（ａ）は取り込み手段部、（ｂ）は各棚、（ｃ）は取出し手段部を示す図
【図９】第１リフト全体図
【図１０】図９の昇降籠部分の拡大図
【符号の説明】
１１０  自動倉庫
１１６  滅菌コンテナ
１２０  第１の水平方向搬送手段
２１０  手術室
２１４  搬送ラック
２２０  第２の水平方向搬送手段
２２１  フード
２２２  天井部
２４０  無人搬送車
２５０  コンベア
３００  第１リフト
３５０  昇降籠
４００  第２リフト
５００  手術室内収納手段
５１０  取り込み手段
５２０  棚
５３０  取出し手段
５４０  収納部
５５０  移載手段
６１０  自動倉庫制御用コンピュータ
６２０  第１の搬送システム制御用コンピュータ
７００  ＨＥＰＡフィルターユニット
８００  滅菌装置
【図１】
0003567215.tif 000002
【図２】
0003567215.tif 000003
【図３】
0003567215.tif 000004
【図４】
0003567215.tif 000005
【図５】
0003567215.tif 000006
【図６】
0003567215.tif 000007
【図７】
0003567215.tif 000008
【図８】
0003567215.tif 000009
【図９】
0003567215.tif 000010
【図１０】
0003567215.tif 000011